(57)【要約】【課題】１台の操作装置で画像出力装置及び画像表示装置を操作できる画像表示システム及び受信装置を提供すること。【解決手段】画像情報を出力する画像出力装置２と、画像情報に応じた画像を表示する画像表示装置３とを備えた画像表示システム１は、入力操作に応じた操作信号を無線で送信し、画像出力装置２及び画像表示装置３を遠隔操作する操作装置４と、操作信号を受信して、当該操作信号に係る信号を画像出力装置２に出力する受信装置５とを備える。受信装置４は、操作信号に基づいて、画像出力装置２にて認識可能な出力装置用信号を生成する出力装置用信号生成手段５２を備え、受信装置５及び画像出力装置２のいずれかは、操作信号に基づいて、画像表示装置３にて認識可能な表示装置用信号を生成する表示装置用信号生成手段２６を備え、画像出力装置２は、表示装置用信号を画像表示装置３に出力する出力手段２７を備える。【選択図】図１
2009171103.tif 000002
【特許請求の範囲】
【請求項１】
画像情報を出力する画像出力装置と、前記画像情報に応じた画像を表示する画像表示装置とを備えた画像表示システムであって、
入力操作に応じた操作信号を無線で送信し、前記画像出力装置及び前記画像表示装置を遠隔操作する操作装置と、
前記操作信号を受信して、当該操作信号に係る信号を前記画像出力装置に出力する受信装置とを備え、
前記受信装置は、
前記操作信号に基づいて、前記画像出力装置にて認識可能な出力装置用信号を生成する出力装置用信号生成手段を備え、
前記受信装置及び前記画像出力装置のいずれかは、
前記操作信号に基づいて、前記画像表示装置にて認識可能な表示装置用信号を生成する表示装置用信号生成手段を備え、
前記画像出力装置は、
前記表示装置用信号を、前記画像表示装置に出力する出力手段を備えることを特徴とする画像表示システム。
【請求項２】
請求項１に記載の画像表示システムにおいて、
前記画像出力装置は、
前記画像表示装置を操作する信号の種別を記憶する記憶手段と、
前記信号の種別に基づいて、前記操作信号に係る信号が、前記画像表示装置を操作対象とする信号であるか否かを判定する信号判定手段と、
前記表示装置用信号生成手段とを備え、
当該表示装置用信号生成手段は、前記信号判定手段により、前記画像表示装置を操作対象とする信号であると判定されると、前記操作信号に係る信号に基づいて、前記表示装置用信号を生成することを特徴とする画像表示システム。
【請求項３】
請求項１又は請求項２に記載の画像表示システムにおいて、
前記表示装置用信号には、操作対象となる前記画像表示装置を識別するための識別情報が含まれ、
前記画像表示装置は、
当該画像表示装置に応じた前記識別情報を記憶する他の記憶手段と、
前記他の記憶手段に記憶された識別情報と、前記表示装置用信号に含まれる識別情報とが一致するか否かを判定する識別情報判定手段と、
前記識別情報判定手段により、一致すると判定されると、前記表示装置用信号に応じて当該画像表示装置の動作を制御する動作制御手段とを備えることを特徴とする画像表示システム。
【請求項４】
画像情報を出力する画像出力装置と、前記画像情報に応じた画像を表示する画像表示装置と、操作信号を無線で送信して前記画像出力装置及び前記画像表示装置を遠隔操作する操作装置とを備えた画像表示システムに用いられ、前記操作信号を受信して、当該操作信号に係る信号を前記画像出力装置に出力する受信装置であって、
前記操作信号を受信する受信手段と、
前記操作信号が、前記画像出力装置を操作対象とする操作信号であるか、前記画像表示装置を操作対象とする操作信号であるかを判定する判定手段と、
前記判定手段により、前記画像出力装置を操作対象とする操作信号であると判定された場合に、前記操作信号に基づいて、前記画像出力装置にて認識可能な出力装置用信号を生成し、前記画像表示装置を操作対象とする操作信号であると判定された場合に、前記操作信号に基づいて、前記画像表示装置にて認識可能な表示装置用信号を生成する信号生成手段と、
生成された前記出力装置用信号及び前記表示装置用信号を、前記画像出力装置に出力する出力手段とを備えることを特徴とする受信装置。
【発明の詳細な説明】
【技術分野】
【０００１】
本発明は、画像出力装置及び画像表示装置を備える画像表示システム、及び、当該画像表示システムに用いられる受信装置に関する。
【背景技術】
【０００２】
従来、画像情報を形成し、当該画像情報に係る画像信号を出力するＰＣ（Personal Computer）等の画像出力装置と、当該画像出力装置から入力される画像信号に応じた画像を表示するプロジェクタ等の画像表示装置とを備えた画像表示システムが知られている。このようなプロジェクタは、比較的大きな画像を簡易に形成することができるので、プレゼンテーション等に好適に利用される。
【０００３】
ここで、プレゼンテーション時に、画像出力装置がＰＣである場合には、マウス等を操作して当該ＰＣを動作させたい場合がある。また、画像表示装置がプロジェクタである場合では、投射画像のズーム及びフォーカス等の調整を行いたい場合がある。しかしながら、ＰＣ及びプロジェクタの近くまで行って、これらを直接操作することは面倒である。更に、プロジェクタは、設置面等に載置される正置き姿勢で用いられるだけでなく、天井等に吊り下げられた天吊り姿勢で用いられる場合があるが、この天吊り姿勢では、プロジェクタを直接操作するのは困難である。
このような問題に対して、リモートコントローラ（リモコン）を用いて各装置を動作させる方法が考えられるが、リモコンから出力される赤外線信号が届く範囲内に画像出力装置及び画像表示装置が位置する必要があり、各装置の配置が制限されるという問題があった。
【０００４】
このような問題に対して、リモコンと、当該リモコンからの赤外線信号を受光する赤外線受光変換装置とを備え、当該赤外線受光変換装置をＵＳＢ（Universal Serial Bus）接続端子を介してコンピュータ（ＰＣ）と接続したリモコン装置が知られている（例えば、特許文献１参照）。
この特許文献１に記載のリモコン装置によれば、赤外線受光変換装置がコンピュータとＵＳＢ接続端子を介して接続されているので、ＵＳＢ接続ケーブルの長さを調節することにより、リモコンから送信された赤外線信号を、確実に赤外線受光変換装置に受信させることができる。
【０００５】
【特許文献１】特開２００５−２２３５３７号公報
【発明の開示】
【発明が解決しようとする課題】
【０００６】
しかしながら、特許文献１に記載のリモコン装置では、コンピュータ及び画像表示装置を操作する際には、コンピュータを操作するリモコンと、画像表示装置を操作するリモコンとがそれぞれ必要となるという問題がある。このため、プレゼンテーション時に、コンピュータを操作したい場合と、画像表示装置を操作したい場合とで、それぞれのリモコンを持ち替えて操作する必要が生じ、リモコン操作が煩雑であるという問題がある。
【０００７】
本発明の目的は、１台の操作装置で画像出力装置及び画像表示装置を操作することができる画像表示システム及び受信装置を提供することである。
【課題を解決するための手段】
【０００８】
前記した目的を達成するために、本発明の画像表示システムは、画像情報を出力する画像出力装置と、前記画像情報に応じた画像を表示する画像表示装置とを備えた画像表示システムであって、入力操作に応じた操作信号を無線で送信し、前記画像出力装置及び前記画像表示装置を遠隔操作する操作装置と、前記操作信号を受信して、当該操作信号に係る信号を前記画像出力装置に出力する受信装置とを備え、前記受信装置は、前記操作信号に基づいて、前記画像出力装置にて認識可能な出力装置用信号を生成する出力装置用信号生成手段を備え、前記受信装置及び前記画像出力装置のいずれかは、前記操作信号に基づいて、前記画像表示装置にて認識可能な表示装置用信号を生成する表示装置用信号生成手段を備え、前記画像出力装置は、前記表示装置用信号を、前記画像表示装置に出力する出力手段を備えることを特徴とする。
【０００９】
本発明によれば、受信装置の出力装置用信号生成手段が、操作装置から受信された操作信号に基づいて、画像出力装置で認識可能な出力装置用信号を生成することにより、当該出力装置用信号に応じた動作を、画像出力装置にて実現することができる。
また、受信装置が表示装置用信号生成手段を有する場合には、受信された操作信号に基づいて、当該表示装置用信号生成手段が、画像表示装置にて認識可能な表示装置用信号を生成し、当該表示装置用信号が、画像出力装置を介して、画像表示装置に入力されることにより、当該表示装置用信号に応じた動作を、画像表示装置にて実現することができる。
【００１０】
一方、画像出力装置が表示装置用信号生成手段を有する場合には、当該表示装置用信号生成手段が、操作信号に係る信号（受信装置から入力される信号）に基づいて、表示装置用信号を生成し、出力手段が、当該表示装置用信号を画像表示装置に出力することにより、当該表示装置用信号に応じた動作を、画像表示装置にて実現することができる。
これによれば、画像出力装置を操作する出力装置用信号が画像出力装置により認識されることで、当該画像出力装置を遠隔操作することができ、また、表示装置用信号が画像表示装置にて認識されることで、画像表示装置を遠隔操作することができる。
従って、１台の操作装置により、画像出力装置及び画像表示装置のそれぞれを操作することができ、画像表示システムの利便性を向上することができる。
【００１１】
本発明では、前記画像出力装置は、前記画像表示装置を操作する信号の種別を記憶する記憶手段と、前記信号の種別に基づいて、前記操作信号に係る信号が、前記画像表示装置を操作対象とする信号であるか否かを判定する信号判定手段と、前記表示装置用信号生成手段とを備え、当該表示装置用信号生成手段は、前記信号判定手段により、前記画像表示装置を操作対象とする信号であると判定されると、前記操作信号に係る信号に基づいて、前記表示装置用信号を生成することが好ましい。
【００１２】
本発明によれば、表示装置用信号変換手段が、画像出力装置に設けられていることにより、受信装置の構成及び処理を簡略化することができる。
また、記憶手段に記憶された信号の種別を追加及び更新することにより、画像出力装置に新たな画像表示装置が接続された場合でも、当該画像表示装置を操作装置により操作することができる。ここで、受信装置は小型である場合が多く、当該受信装置に上記記憶手段が設けられている場合には、当該記憶手段の記憶内容を更新することが容易でない。これに対し、画像出力装置が、例えばＰＣである場合には、記憶手段をＨＤＤ（Hard Disc Drive）やメモリ等で構成することができ、これらの記憶内容の更新を容易に行うことができる。
【００１３】
本発明では、前記表示装置用信号には、操作対象となる前記画像表示装置を識別するための識別情報が含まれ、前記画像表示装置は、当該画像表示装置に応じた前記識別情報を記憶する他の記憶手段と、前記他の記憶手段に記憶された識別情報と、前記表示装置用信号に含まれる識別情報とが一致するか否かを判定する識別情報判定手段と、前記識別情報判定手段により、一致すると判定されると、前記表示装置用信号に応じて当該画像表示装置の動作を制御する動作制御手段とを備えることが好ましい。
【００１４】
このような識別情報として、例えば、画像表示装置に割り振られた固有のＩＤ番号、及び、ＩＰアドレス等を挙げることができるほか、複数の画像表示装置が画像出力装置に接続されている場合には、当該複数の画像表示装置のうち少なくとも１つを含むグループのグループ名及びグループＩＤ等を挙げることができる。
本発明によれば、複数の画像表示装置が画像出力装置に接続されているような場合でも、操作装置により、特定の画像表示装置のみを操作することができる。すなわち、識別情報判定手段が、表示装置用信号に、記憶手段に記憶された識別情報と、識別情報に含まれる識別情報とが一致すると判定した場合にのみ、当該表示装置用信号に応じて動作制御手段が画像表示装置の動作を制御するので、操作装置に対する操作により、所望の画像表示装置を操作することができる。また、グループ化された複数の画像表示装置を、１度の操作で動作させることも可能となる。
【００１５】
また、本発明の受信装置は、画像情報を出力する画像出力装置と、前記画像情報に応じた画像を表示する画像表示装置と、操作信号を無線で送信して前記画像出力装置及び前記画像表示装置を遠隔操作する操作装置とを備えた画像表示システムに用いられ、前記操作信号を受信して、当該操作信号に係る信号を前記画像出力装置に出力する受信装置であって、前記操作信号を受信する受信手段と、前記操作信号が、前記画像出力装置を操作対象とする操作信号であるか、前記画像表示装置を操作対象とする操作信号であるかを判定する判定手段と、前記判定手段により、前記画像出力装置を操作対象とする操作信号であると判定された場合に、前記操作信号に基づいて、前記画像出力装置にて認識可能な出力装置用信号を生成し、前記画像表示装置を操作対象とする操作信号であると判定された場合に、前記操作信号に基づいて、前記画像表示装置にて認識可能な表示装置用信号を生成する信号生成手段と、生成された前記出力装置用信号及び前記表示装置用信号を、前記画像出力装置に出力する出力手段とを備えることを特徴とする。
【００１６】
本発明によれば、前述の画像表示システムと同様の効果を奏することができる。
すなわち、受信装置の判定手段が、操作装置からの受信した操作信号が、画像出力装置を操作対象とする操作信号であるか、画像表示装置を操作対象とする操作信号であるかを判定し、当該判定手段による判定結果に基づいて、信号生成手段が、操作信号に基づく出力装置用信号又は表示装置用信号を生成する。そして、当該各信号は、出力手段により画像出力装置に出力される。これによれば、画像出力装置が、受信手段から入力された出力装置用信号に応じた動作を行うことにより、また、画像表示装置が、画像出力装置を介して入力される表示装置用信号に応じた動作を行うことにより、画像出力装置及び画像表示装置のそれぞれを操作装置により操作することができる。従って、１台の操作装置により、画像出力装置及び当該画像出力装置に接続された画像表示装置を操作することができる。
【発明を実施するための最良の形態】
【００１７】
〔１．第一実施形態〕
以下、本発明の第一実施形態に係る画像表示システム１を図面に基づいて説明する。
図１は、本実施形態に係る画像表示システム１の構成を示すブロック図である。
本実施形態の画像表示システム１は、図１に示すように、画像表示装置としてのＰＣ２と、当該ＰＣ２から入力される画像情報に応じた画像を投射面上に投射する複数のプロジェクタ３（本実施形態では、３台のプロジェクタ３Ａ，３Ｂ，３Ｃ）と、リモートコントローラ（以下、「リモコン」と略す）４と、ＰＣ２に接続され、かつ、リモコン４から送信された赤外線信号を受信するレシーバ５とを備えて構成されている。
【００１８】
〔リモコンの構成〕
リモコン４は、ＰＣ２及びプロジェクタ３を操作する赤外線信号を出力する操作装置である。このリモコン４は、複数のキーにより構成される操作手段４１と、入力されたキーに応じた操作信号を生成する信号生成手段４２と、生成された操作信号を赤外線により送信する赤外線送信モジュールである送信手段４３とを備えている。
【００１９】
〔レシーバの構成〕
レシーバ５は、リモコン４からの赤外線信号を受信し、当該操作信号に係る信号をＰＣ２に出力する受信装置である。このレシーバ５は、リモコン４から送信された赤外線信号を受信する赤外線受信モジュールである受信手段５１と、当該赤外線信号からデジタル信号を生成する信号生成手段５２と、当該デジタル信号をＰＣ２に出力する出力手段５３とを備えている。
このうち、信号生成手段５２は、赤外線信号から、ＰＣ２により認識可能であり、かつ、当該ＰＣ２とレシーバ５との接続形式に応じた信号形式のデジタル信号（出力装置用信号）を生成する。すなわち、信号生成手段５２は、本発明の出力装置用信号生成手段に相当する。
このようなレシーバ５は、ＰＣ２とＵＳＢ端子で接続され、信号生成手段５２は、アナログ信号からＵＳＢ規格に準拠したデジタル信号を生成する。
【００２０】
〔ＰＣの構成〕
ＰＣ２は、プロジェクタ３により投射される投射画像に係る画像信号を生成し、当該画像信号をプロジェクタ３に出力する。また、ＰＣ２は、レシーバ５から入力するデジタル信号がＰＣ２を操作する信号である場合には、当該デジタル信号に応じた処理を実行し、プロジェクタ３を操作する信号である場合には、当該信号に基づいてプロジェクタ３にて認識可能なプロジェクタ用信号を生成し、当該信号をプロジェクタ３に出力する。このＰＣ２と、各プロジェクタ３とは、無線ＬＡＮ（Local Area Network）による通信が確立されている。
【００２１】
このようなＰＣ２は、制御手段２１、画像形成手段２２、記憶手段２３、信号取得手段２４、信号判定手段２５、信号生成手段２６及び出力手段２７を備えている。
制御手段２１は、ＰＣ２全体の動作を制御する。例えば、制御手段２１は、レシーバ５から入力されたデジタル信号のうち、ＰＣ２を操作する信号に応じた処理を実行する。
画像形成手段２２は、制御手段２１による制御下で、プロジェクタ３により表示される画像に係る画像データを生成する。
【００２２】
記憶手段２３は、後述するプロジェクタ３を操作する信号の種別と、当該種別に対応し、かつ、プロジェクタ３にて認識可能な制御コードと、当該信号により操作される操作対象を識別するための識別情報とが、関連付けて記憶されている。この識別情報については、後に詳述する。なお、本実施形態では、記憶手段２３を、ＯＳ等が記憶されるＨＤＤ（Hard Disc Drive）で構成しているが、不揮発性メモリ等で構成することも可能である。
【００２３】
信号取得手段２４は、レシーバ５により出力されたデジタル信号を取得する。
信号判定手段２５は、記憶手段２３を参照し、信号取得手段２４により取得されたデジタル信号が、ＰＣ２を操作対象とする信号（ＰＣ用信号）であるか、プロジェクタ３を操作対象とする信号であるかを判定する。
具体的に、信号判定手段２５は、記憶手段２３を参照し、当該デジタル信号が、ポインタ（マウスカーソル等）の移動や、表示画像上のソフトウェアキーの入力等、ＰＣ２を操作するための信号である場合には、当該デジタル信号を、ＰＣ２を操作対象とするＰＣ用信号であると判定する。また、信号判定手段２５は、記憶手段２３に記憶された信号、例えば、投射面に対する画像の投射位置の調整や、プロジェクタ３の設定画面の表示等の操作を行う信号が入力された場合には、当該デジタル信号を、プロジェクタ３を操作対象とする信号であると判定する。
【００２４】
信号生成手段２６は、信号判定手段２５により、入力されたデジタル信号がプロジェクタ３を操作対象とする信号であると判定された場合に、当該信号及び記憶手段２３の記憶内容に基づいて、プロジェクタ３にて認識可能で、かつ、プロジェクタ３との接続形式に応じたプロジェクタ用信号（表示装置用信号）を生成する。このプロジェクタ用信号には、操作対象のプロジェクタ３を識別するための識別情報が含まれる。
このような識別情報としては、各プロジェクタ３に設定されたＩＰアドレスや、ＰＣ２との接続順を示す番号等を挙げることができる。また、識別情報として、ＰＣ２に接続された各プロジェクタがグループ化されている場合には、当該グループを示すグループ名及びグループ番号としてもよい。
【００２５】
具体的に、信号生成手段２６は、プロジェクタ３を操作する信号と判定された信号に関連付けて記憶された制御コードと、当該信号に関連付けて記憶された操作対象であるプロジェクタ３の識別情報とを含むプロジェクタ用信号を生成する。ここで、プロジェクタ用信号に含まれる識別情報が、１台のプロジェクタ３を示す識別情報（ＩＰアドレス等）である場合には、当該１台のプロジェクタ３のみが操作対象となり、複数のプロジェクタ３を示す識別情報（例えば、グループ名等）である場合には、当該複数のプロジェクタ３が操作対象となる。
出力手段２７は、信号生成手段２６により生成されたプロジェクタ用信号、及び、画像形成手段により形成された画像データに係る画像信号を、無線ＬＡＮにより接続されたプロジェクタ３に出力する。
【００２６】
〔プロジェクタの構成〕
プロジェクタ３は、前述のように、ＰＣ２から入力する画像信号に応じた画像を投射面上に投射する画像表示装置である。このプロジェクタ３は、固有の識別情報（本実施形態では、ＩＰアドレス及びグループ番号）を有しており、当該プロジェクタ３は、本実施形態では、ＰＣ２に３台（プロジェクタ３Ａ〜３Ｃ）接続されている。これらプロジェクタ３は、それぞれ、画像処理手段３１、画像表示手段３２、信号取得手段３３、識別情報判定手段３４、動作制御手段３５及び記憶手段３６を備えている。
このうち、記憶手段３６は、本発明の他の記憶手段に相当し、当該記憶手段３６には、プロジェクタ３に固有の識別情報（ＩＰアドレス）の他、当該プロジェクタ３が属するグループ名が記憶されている。
【００２７】
画像処理手段３１は、ＰＣ２から入力する画像信号に基づいて画像データを形成し、当該画像データに基づく駆動信号を、後述する画像表示手段３２の光変調装置３２２に出力する。この際、画像処理手段３１は、再構築された画像データに対して、色合い調整やガンマ補正等の所定の処理を実行する。
【００２８】
画像表示手段３２は、画像処理手段３１から入力する駆動信号に応じた画像光を形成し、当該画像光を投射する。この画像表示手段３２は、光源装置３２１、光変調装置３２２及び投射光学装置３２３を備えている。なお、図示を省略したが、画像表示手段３２は、これらの構成の他に、光源装置３２１から射出された光束を赤（Ｒ）、緑（Ｇ）及び青（Ｂ）の各色光に分離する色分離光学装置、及び、各色光を合成するクロスダイクロイックプリズム等の色合成光学装置を備え、光変調装置は、各色光の光路上に配置されている。
【００２９】
光源装置３２１は、放電型の光源ランプと、当該光源ランプから出射された放射光を反射して所定位置に収束させるリフレクタとを備えている。なお、本実施形態では、光源ランプは、超高圧水銀ランプで構成したが、他の放電型の光源ランプを備える構成としてもよい。また、光源装置３２１は、光源ランプに代えて、ＬＥＤ（Light Emitting Diode）及びＬＤ（Laser Diode）等の固体光源、並びに、有機ＥＬ（Electroluminescence）素子を備える構成とすることも可能である。
【００３０】
光変調装置３２２は、本実施形態では、一対の透明なガラス基板間に電気光学物質である液晶が密閉封入され、画像処理手段３１から入力される駆動信号に応じて、当該液晶の配向状態が制御され、入射光束の偏光方向を変調する液晶パネルで構成されている。なお、前述のように、光変調装置は、色合成光学装置で分離された赤（Ｒ）、緑（Ｇ）及び青（Ｂ）の各色光の光路上に配置され、当該各光変調装置により、各色光に係る画像光が形成される。そして、これら各画像光は、色合成光学装置により合成され、カラー画像に係る画像光が形成される。
投射光学装置３２３は、色合成光学装置により合成された画像光を拡大投射するものである。この投射光学装置３２３は、鏡筒と、当該鏡筒内部に収納される複数のレンズとを備えた組レンズとして構成されている。
【００３１】
信号取得手段３３は、ＰＣ２により出力されたプロジェクタ用信号を取得する。
識別情報判定手段３４は、信号取得手段３３により取得されたプロジェクタ用信号に含まれる識別情報と、記憶手段３６に記憶された自己の識別情報とが一致するか否かを判定する。
動作制御手段３５は、識別情報判定手段３４により、一致すると判定された場合に、当該プロジェクタ用信号に含まれる制御コードに応じた動作を行う。例えば、制御コードが投射画像のズームを調整するコードである場合には、図示しないモータ等を駆動して、投射光学装置３２３を構成するレンズを鏡筒の軸方向に沿って進退させ、当該投射光学装置３２３により投射される投射画像の倍率を変更する。
【００３２】
〔リモコンによる遠隔操作〕
図２は、リモコン４が操作された際の画像表示システム１の処理を示すフローチャートである。
以下、リモコン４の操作時における各装置２〜５の処理を説明する。
リモコン４では、操作手段４１を構成するキーが入力されると、信号生成手段４２が当該入力されたキーに応じた操作信号を生成し（ステップＳＡ０１）、送信手段４３が、当該操作信号に係る赤外線信号をレシーバ５に送信する（ステップＳＡ０２）。
レシーバ５では、受信手段５１がリモコン４からの赤外線信号を受信し（ステップＳＡ０３）、当該赤外線信号に基づいて、信号生成手段５２が前述のデジタル信号（出力装置用信号）を生成し（ステップＳＡ０４）、出力手段５３が当該デジタル信号をＰＣ２に出力する（ステップＳＡ０５）。
【００３３】
ＰＣ２では、信号取得手段２４が、レシーバ５から出力されたデジタル信号（出力装置用信号）を取得する（ステップＳＡ０６）。この後、信号判定手段２５が、取得されたデジタル信号が、ＰＣ２を操作対象とする信号（ＰＣ用信号）であるか否かを判定し（ステップＳＡ０７）、ＰＣ用信号であると判定した場合には、制御手段２１が、当該信号に応じた処理を実行する（ステップＳＡ０８）。
一方、信号判定手段２５が、ＰＣ用信号でないと判定した場合には、信号生成手段２６が、入力されたデジタル信号及び記憶手段２３の記憶内容に基づいて、プロジェクタ用信号を生成する（ステップＳＡ０９）。そして、出力手段２７が、当該プロジェクタ用信号をプロジェクタ３に出力する（ステップＳＡ１０）。
【００３４】
プロジェクタ３では、信号取得手段３３が、ＰＣ２により出力されたプロジェクタ用信号を取得し（ステップＳＡ１１）、識別情報判定手段３４が、入力されたプロジェクタ用信号に含まれる識別情報（例えば、ＩＰアドレス又はグループ名等）と、記憶手段３６に記憶された識別情報とが一致するか否かを判定する（ステップＳＡ１２）。ここで、識別情報判定手段３４が、一致しないと判定した場合には、動作制御手段３５は、当該プロジェクタ用信号を無視する。
一方、識別情報判定手段３４が、一致すると判定した場合には、動作制御手段３５が、プロジェクタ用信号に含まれる制御コードに応じた処理を実行する（ステップＳＡ１３）。
以上のような各装置２〜５の処理は、リモコン４の操作手段４１が操作されるたびに実行される。
【００３５】
以上説明した本実施形態の画像表示システム１によれば、以下の効果がある。
（１）リモコン４の操作手段４１に対する操作に応じて送信される赤外線信号は、レシーバ５の受信手段５１で受信される。そして、信号生成手段５２が、当該赤外線信号に基づいて、ＰＣ２にて認識可能なデジタル信号（出力装置用信号）を生成する。このため、当該デジタル信号が、ＰＣ２を操作対象とする信号（ＰＣ用信号）である場合には、当該信号に応じた処理を、ＰＣ２に実行させることができる。また、当該デジタル信号が、プロジェクタ３を操作対象とする信号である場合には、ＰＣ２の信号生成手段２６及び出力手段２７により、当該デジタル信号に基づくプロジェクタ用信号が生成及び出力されるので、プロジェクタ３に、当該プロジェクタ用信号に応じた処理を実行させることができる。従って、１台のリモコン４の操作により、ＰＣ２及びプロジェクタ３の遠隔操作を実現することができ、画像表示システム１の利便性を向上することができる。
【００３６】
（２）レシーバ５は、リモコン４から送信された操作信号である赤外線信号を受信し、当該赤外線信号に基づいて、ＰＣ２にて認識可能なデジタル信号を生成及び出力するので、当該赤外線信号がプロジェクタ３を操作対象とする信号である場合における当該プロジェクタ３にて認識可能な信号（プロジェクタ用信号）の生成は、ＰＣ２で行われる。これによれば、信号生成等の煩雑な処理をＰＣ２で行うことができるので、レシーバ５の構成及び処理を簡略化することができる。
【００３７】
（３）ＰＣ２の信号生成手段２６によるプロジェクタ用信号の生成は、入力された信号がプロジェクタ３を操作対象とする信号であるか否かを信号判定手段２５が判定した後に行われ、これらの信号判定及び信号生成は、記憶手段２３に記憶された信号の種別、制御コード及び操作対象の識別情報を参照して行われる。これによれば、当該記憶手段２３の記憶内容の追加及び更新等により、ＰＣ２にプロジェクタ３とは異なる画像表示装置が接続された場合でも、当該画像表示装置をリモコン４により操作することができる。また、前述のように、記憶手段２３がＨＤＤで構成されているので、当該記憶手段２３の記憶内容の追加及び更新を容易に行うことができる。
【００３８】
（４）レシーバ５から入力されたデジタル信号が、プロジェクタ３を操作対象とする信号である場合には、信号生成手段２６は、操作対象となるプロジェクタ３の識別情報を有するプロジェクタ用信号を生成する。これによれば、識別情報にＩＰアドレス等を設定することで、ＰＣ２に接続されたプロジェクタ３の中から１台のプロジェクタ３を操作対象とすることができる。また、識別情報にグループ名等を設定することで、複数のプロジェクタ３を同時に操作対象とすることができる。従って、リモコン４により多彩な操作を行うことができるので、画像表示システム１の利便性を一層向上することができる。
【００３９】
〔２．第二実施形態〕
次に、本発明の第二実施形態に係る画像表示システム１Ａについて説明する。
本実施形態に係る画像表示システム１Ａは、前述の画像表示システム１と同様の構成を備えるが、当該画像表示システム１では、プロジェクタ用信号をＰＣ２にて生成していたのに対し、画像表示システム１Ａではレシーバが生成する点において、画像表示システム１Ａと、画像表示システム１とは相違する。なお、以下の説明では、既に説明した部分と同一または略同一である部分については、同一の符号を付して説明を省略する。
【００４０】
図３は、画像表示システム１Ａの構成を示すブロック図である。
画像表示システム１Ａは、図３に示すように、前述の画像表示システム１と同様に、プロジェクタ３及びリモコン４を備えるほか、ＰＣ２及びレシーバ５の代わりに、ＰＣ２Ａ及びレシーバ５Ａを備えている。
【００４１】
〔レシーバの構成〕
レシーバ５Ａは、リモコン４から送信された赤外線信号に基づいて、ＰＣ２Ａ及びプロジェクタ３を操作する信号（ＰＣ用信号及びプロジェクタ用信号）を生成し、当該信号をＵＳＢケーブルを介して接続されたＰＣ２Ａに出力する。このレシーバ５Ａは、受信手段５１、変換手段５４、記憶手段５５、判定手段５６、信号生成手段５７及び出力手段５３を備えている。
このうち、変換手段５４は、受信手段５１により受信されたアナログ信号である赤外線信号を、デジタル信号に変換する。
記憶手段５５は、リモコン４から入力される信号の分類、当該信号に係る制御コード、及び、当該信号の操作対象が関連付けて記憶されている。
【００４２】
判定手段５６は、変換手段５４によりデジタル信号に変換された操作信号が、ＰＣ２Ａを操作対象とする信号であるか、プロジェクタ３を操作対象とする信号であるかを判定する。具体的に、判定手段５６は、記憶手段５５の記憶内容（信号の分類）を参照し、当該操作信号がいずれの信号であるかを判定する。
信号生成手段５７は、判定手段５６により、変換されたデジタル信号がＰＣ２Ａを操作対象とする信号であると判定された場合に、当該デジタル信号に基づいて、ＰＣ２Ａにて認識可能な信号（ＰＣ用信号）を生成する。また、信号生成手段５７は、当該デジタル信号がプロジェクタ３を操作対象とする信号であると判定された場合には、当該デジタル信号に基づいて、プロジェクタ３にて認識可能な信号（プロジェクタ用信号）を生成する。この際、信号生成手段５７は、操作対象のプロジェクタ３を示す前述の認識情報を含めたプロジェクタ用信号を生成する。
【００４３】
〔ＰＣの構成〕
ＰＣ２Ａは、前述のＰＣ２と同様に、プロジェクタ３に画像信号を出力するほか、レシーバ５Ａから入力された操作信号のうち、プロジェクタ用信号をプロジェクタに出力する。このＰＣ２Ａは、制御手段２１、画像形成手段２２、信号取得手段２４、信号判定手段２８及び出力手段２７を備えている。
このうち、信号判定手段２８は、信号取得手段２４によりレシーバ５Ａから取得されたデジタル信号が、ＰＣ用信号であるか否かを判定する。この信号判定手段２８により、当該信号がＰＣ用信号であると判定された場合には、当該ＰＣ用信号に応じた処理が制御手段２１により行われ、プロジェクタ用信号であると判定された場合には、当該プロジェクタ用信号は、出力手段２７により、プロジェクタ３に出力される。
【００４４】
〔リモコンによる遠隔操作〕
図４は、リモコン４が操作された際の画像表示システム１Ａの処理を示すフローチャートである。
以下、リモコン４の操作時における各装置２Ａ，３，４，５Ａの処理を説明する。
リモコン４では、操作手段４１を構成するキーが入力されると、前述のように、当該キーの入力に応じた操作信号の生成、及び、当該操作信号に係る赤外線信号の出力が行われる（ステップＳＡ０１，ＳＡ０２）。
【００４５】
レシーバ５Ａでは、受信手段５１が、リモコン４から出力された赤外線信号を受信し、変換手段５４が、当該赤外線信号をデジタル信号に変換する（ステップＳＢ０１）。そして、判定手段５６が、当該デジタル信号がＰＣ２Ａを操作対象とする信号であるか否かを判定する（ステップＳＢ０２）。
ここで、判定手段５６により、ＰＣ２Ａを操作対象とする信号であると判定された場合には、信号生成手段５７が、当該信号に基づいてＰＣ用信号を生成し（ステップＳＢ０３）、プロジェクタ３を操作対象とする信号であると判定された場合には、同じく信号生成手段５７が、当該信号に基づいて、識別情報を含むプロジェクタ用信号を生成する（ステップＳＢ０４）。これら各信号は、出力手段５３により、ＰＣ２Ａに出力される（ステップＳＢ０５）。
【００４６】
ＰＣ２Ａでは、信号取得手段２４が、レシーバ５Ａから出力された信号を取得し（ステップＳＢ０６）、信号判定手段２８が、取得された信号が、ＰＣ用信号であるか否かを判定する（ステップＳＢ０７）。
ここで、信号判定手段２８により、当該信号がＰＣ用信号であると判定された場合、制御手段２１が、当該ＰＣ用信号に応じた処理を実行する（ステップＳＢ０８）。
一方、信号判定手段２８により、当該信号がプロジェクタ用信号であると判定された場合、出力手段２７が、当該プロジェクタ用信号をそのままプロジェクタ３に出力する（ステップＳＡ１０）。
【００４７】
プロジェクタ３では、画像表示システム１の場合と同様に、信号取得手段３３が、ＰＣ２Ａから出力されたプロジェクタ用信号を取得し（ステップＳＡ１１）、識別情報判定手段３４が、取得されたプロジェクタ用信号に含まれる識別情報と、記憶手段３６に記憶された識別情報とが一致するか否かを判定する（ステップＳＡ１２）。
ここで、識別情報判定手段３４により、一致しないと判定された場合には、動作制御手段３５は、当該プロジェクタ用信号を無視して処理を終了する。
一方、識別情報判定手段３４により、一致すると判定された場合には、動作制御手段３５は、当該プロジェクタ用信号に含まれる制御コードに応じた処理を実行する（ステップＳＡ１３）。
以上のような各装置２Ａ，３，４，５Ａの処理は、リモコン４の操作手段４１が操作されるたびに実行される。
【００４８】
以上説明した本実施形態の画像表示システム１Ａによれば、前述の画像表示システム１が奏することができる効果（４）と同様の効果を奏することができるほか、以下の効果を奏することができる。
（５）リモコン４から送信された赤外線信号は、レシーバ５Ａの受信手段５１により受信され、変換手段５４によりデジタル信号に変換される。この後、判定手段５６により、当該デジタル信号がＰＣ２Ａを操作対象とする信号であるか否かが判定され、ＰＣ２Ａを操作対象とする信号であると判定された場合には、ＰＣ２Ａにて認識可能なＰＣ用信号が、また、プロジェクタ３を操作対象とする信号であると判定された場合には、プロジェクタ３にて認識可能なプロジェクタ用信号が、信号生成手段５７により生成される。これら各信号のうち、ＰＣ用信号がＰＣ２Ａに認識されることにより、当該信号に応じた動作をＰＣ２Ａにて実現することができる。また、プロジェクタ用信号は、プロジェクタ３に出力され、当該プロジェクタ用信号がプロジェクタ３に認識されることにより、当該信号に応じた動作を当該プロジェクタ３にて実現することができる。
従って、１台のリモコン４の操作により、ＰＣ２Ａ及びプロジェクタ３を操作することができ、画像表示システム１Ａの利便性を向上することができる。
【００４９】
（６）レシーバ５Ａの判定手段５６による信号判定、及び、信号生成手段５７による信号生成は、記憶手段５５の記憶内容（信号の種別、制御コード及び識別情報）に基づいて行われる。これによれば、当該記憶内容を追加及び更新することにより、当該レシーバ５Ａに接続される画像出力装置、及び、当該画像出力装置に接続される画像表示装置のそれぞれの機種に依存せずに、画像出力装置を操作対象とし、かつ、当該画像出力装置にて認識可能な信号（出力装置用信号）、及び、画像表示装置を操作対象とし、かつ、当該画像表示装置にて認識可能な信号（表示装置用信号）を生成することができる。従って、レシーバ５Ａの汎用性を向上することができる。
【００５０】
〔３．実施形態の変形〕
本発明は前述の実施形態に限定されるものではなく、本発明の目的を達成できる範囲での変形、改良等は本発明に含まれるものである。
前記第一実施形態では、リモコン４から送信された赤外線信号に係るデジタル信号が、ＰＣ２を操作対象とする信号であるのか、或いは、プロジェクタ３を操作対象とする信号であるのかを、ＰＣ２の信号判定手段２５が、記憶手段２３の記憶内容に基づいて判定するとし、前記第二実施形態では、レシーバ５Ａの判定手段５６が、記憶手段５５の記憶内容に基づいて判定するとしたが、本発明はこれに限らない。例えば、リモコン４が、操作手段４１に対して行われた入力操作に応じて送信される信号が、ＰＣ２を操作対象とする信号であるか、プロジェクタ３を操作対象とする信号であるかを示す情報を含めて、当該信号を送信するように構成してもよい。
【００５１】
前記各実施形態では、ＰＣ２，２Ａとプロジェクタ３とは、無線ＬＡＮにより接続されているとしたが、本発明はこれに限らない。例えば、有線ＬＡＮにより接続されていてもよく、また、ＵＳＢ等の他の形式により接続されていてもよい。更に、ＰＣ２，２Ａ及びプロジェクタ３は、画像信号が入出力される接続経路とは別に、前述のプロジェクタ用信号が入出力される接続経路を有していてもよい。例えば、このような接続経路として、ＲＳ−２３２Ｃによる接続経路等を挙げることができる。
【００５２】
前記各実施形態では、画像出力装置としてＰＣ２，２Ａを挙げ、画像表示装置としてプロジェクタ３を挙げたが、本発明はこれに限らない。画像出力装置は、画像表示装置と接続され、当該画像表示装置に画像信号を出力するものであればよく、例えば、ＤＶＤ（Digital Versatile Disc）等の記録媒体から画像情報を読み取り、当該画像情報に基づく画像信号を出力するプレイヤであってもよい。また、画像表示装置は、入力される画像信号に応じた画像を表示するものであればよく、例えば、液晶、プラズマ、有機ＥＬ（electroluminescence）及びＣＲＴ（Cathode Ray Tube）等のディスプレイであってもよい。
【産業上の利用可能性】
【００５３】
本発明は、画像出力装置と、画像表示装置と、これらを遠隔操作する操作装置とを備えた画像表示システムに好適に利用することができる。
【図面の簡単な説明】
【００５４】
【図１】本発明の第一実施形態に係る画像表示システムの構成を示すブロック図。
【図２】前記実施形態におけるリモコン操作時の画像表示システムの処理を示すフローチャート。
【図３】本発明の第二実施形態に係る画像表示システムの構成を示すブロック図。
【図４】前記実施形態におけるリモコン操作時の画像表示システムの処理を示すフローチャート。
【符号の説明】
【００５５】
１，１Ａ…画像表示システム、２，２Ａ…ＰＣ（画像出力装置）、３（３Ａ，３Ｂ，３Ｃ）…プロジェクタ（画像表示装置）、４…リモコン（操作装置）、５，５Ａ…レシーバ（受信装置）、２５…信号生成手段（表示装置用信号生成手段）、２６…出力手段、２３…記憶手段、２４…信号判定手段、３３…識別情報判定手段、３４…動作制御手段、３５…記憶手段（他の記憶手段）、５２…信号生成手段（出力装置用信号生成手段）、５３…出力手段、５６…判定手段、５７…信号生成手段（出力装置用信号生成手段、表示装置用信号生成手段）。
【図１】
2009171103.tif 000003
【図２】
2009171103.tif 000004
【図３】
2009171103.tif 000005
【図４】
2009171103.tif 000006